(57)【要約】      （修正有）【課題】着信制御に関する処理負担の増加や着信制御の複雑化を回避して、回線を共用するボタン電話装置間で着信制御を行えるようにする。【解決手段】各主装置の制御部１７のうち、着信通知手段１７Ｂで、当該主装置に収容されている回線への着信に応じて、その着信で通知された着信情報に基づき当該ボタン電話システム内の他のボタン電話装置に対する当該着信の着信通知要否を判定し、その判定結果に基づいて回線管理情報１８Ａで当該回線に対応付けられている当該ボタン電話システム内の他のボタン電話装置へ、データ通信網５２を介した新たな発呼により当該着信のあった回線を示す着信情報を通知し、着信制御手段１７Ａで、当該主装置に収容されている回線への着信に応じて、その着信の着信情報で通知された当該着信のあった回線に対して回線管理情報１８Ａで対応付けられている当該ボタン電話装置の電話機を呼び出す。【選択図】        図２
2004266437.tif 000002
【特許請求の範囲】
【請求項１】
電話網およびデータ通信網からの回線を収容する主装置と、この主装置に収容される１つ以上の電話機とからなり、前記主装置で前記回線と前記電話機とを接続するボタン電話装置を複数有し、これらボタン電話装置の主装置間で、前記データ通信網を介して制御データをやり取りすることにより呼制御を行うとともに、音声データをやり取りすることにより通話路を形成し、その通話路を利用することにより他のボタン電話装置の回線を使用した通話を実現するボタン電話システムであって、
前記ボタン電話装置の主装置は、
当該主装置に収容されている回線への着信に応じて、前記着信で通知された着信情報に基づき当該ボタン電話システム内の他のボタン電話装置に対する当該着信の着信通知要否を判定し、その判定結果に基づいて、当該ボタン電話システム内の他のボタン電話装置のうちのいずれか１つ以上またはすべてのボタン電話装置へ、前記データ通信網を介した新たな発呼により前記着信のあった回線を示す着信情報を通知する着信通知手段と、
当該主装置に収容されている回線への着信に応じて、その着信の着信情報で通知された前記着信のあった回線に予め対応付けられている当該ボタン電話装置の電話機を呼び出す着信制御手段とを備えることを特徴とするボタン電話システム。
【請求項２】
請求項１記載のボタン電話システムにおいて、
前記ボタン電話装置の主装置は、
前記各ボタン電話装置の回線のうち当該ボタン電話装置で使用可能な回線と、その回線への着信に応じて呼び出す当該ボタン電話装置の電話機および当該着信を通知する当該ボタン電話システム内の他のボタン電話装置との対応付けを示す回線管理情報を記憶する記憶手段をさらに備え、
前記着信通知手段は、前記着信情報を通知する際、前記回線管理情報で当該回線に対応付けられている当該ボタン電話システム内の他のボタン電話装置へ、前記着信情報を通知し、
前記着信制御手段は、前記電話機を呼び出す際、前記着信情報で通知された前記着信のあった回線に対して、前記回線管理情報で対応付けられている当該ボタン電話装置の電話機を呼び出すことを特徴とするボタン電話システム。
【請求項３】
請求項１または２記載のボタン電話システムにおいて、
前記着信制御手段は、呼出先の前記電話機での応答操作に応じて前記着信のあった回線に応答し、その電話機と当該回線とを接続し、
前記着信通知手段は、発呼先の前記他のボタン電話装置での応答に応じて、前記データ通信網を介して当該他のボタン電話装置との間に形成された通話路と、前記着信のあった回線とを接続することを特徴とするボタン電話システム。
【請求項４】
請求項２記載のボタン電話システムにおいて、
前記着信通知手段は、前記着信通知要否を判定する際、前記着信情報に基づき前記着信が当該ボタン電話システム内の他のボタン電話装置からの着信であることが確認された場合に着信通知不要と判定することを特徴とするボタン電話システム。
【請求項５】
電話網およびデータ通信網からの回線を収容する主装置と、この主装置に収容される１つ以上の電話機とからなり、前記主装置で前記回線と前記電話機とを接続するボタン電話装置を複数有するボタン電話システムで用いられ、これらボタン電話装置の主装置間で、前記データ通信網を介して制御データをやり取りすることにより呼制御を行うとともに、音声データをやり取りすることにより通話路を形成し、その通話路を利用することにより他のボタン電話装置の回線を使用した通話を実現するボタン電話装置であって、
前記主装置は、
当該主装置に収容されている回線への着信に応じて、前記着信で通知された着信情報に基づき当該ボタン電話システム内の他のボタン電話装置に対する当該着信の着信通知要否を判定し、その判定結果に基づいて、当該ボタン電話システム内の他のボタン電話装置のうちのいずれか１つ以上またはすべてのボタン電話装置へ、前記データ通信網を介した新たな発呼により前記着信のあった回線を示す着信情報を通知する着信通知手段と、
当該主装置に収容されている回線への着信に応じて、その着信の着信情報で通知された前記着信のあった回線に予め対応付けられている当該ボタン電話装置の電話機を呼び出す着信制御手段とを備えることを特徴とするボタン電話装置。
【請求項６】
請求項５記載のボタン電話装置において、
前記主装置は、
前記各ボタン電話装置の回線のうち当該ボタン電話装置で使用可能な回線と、その回線への着信に応じて呼び出す当該ボタン電話装置の電話機および当該着信を通知する当該ボタン電話システム内の他のボタン電話装置との対応付けを示す回線管理情報を記憶する記憶手段をさらに備え、
前記着信通知手段は、前記着信情報を通知する際、前記回線管理情報で当該回線に対応付けられている当該ボタン電話システム内の他のボタン電話装置へ、前記着信情報を通知し、
前記着信制御手段は、前記電話機を呼び出す際、前記着信情報で通知された前記着信のあった回線に対して、前記回線管理情報で対応付けられている当該ボタン電話装置の電話機を呼び出すことを特徴とするボタン電話装置。
【請求項７】
請求項５または６記載のボタン電話装置において、
前記着信制御手段は、呼出先の前記電話機での応答操作に応じて前記着信のあった回線に応答し、その電話機と当該回線とを接続し、
前記着信通知手段は、発呼先の前記他のボタン電話装置での応答に応じて、前記データ通信網を介して当該他のボタン電話装置との間に形成された通話路と、前記着信のあった回線とを接続することを特徴とするボタン電話装置。
【請求項８】
請求項６記載のボタン電話装置において、
前記着信通知手段は、前記着信通知要否を判定する際、前記着信情報に基づき前記着信が当該ボタン電話システム内の他のボタン電話装置からの着信であることが確認された場合に着信通知不要と判定することを特徴とするボタン電話装置。
【請求項９】
電話網およびデータ通信網からの回線を収容するとともに１つ以上の電話機を収容し、前記回線と前記電話機とを接続する電話機制御装置を複数有する電話システムで用いられ、これら電話制御装置間で、前記データ通信網を介して制御データをやり取りすることにより呼制御を行うとともに、音声データをやり取りすることにより通話路を形成し、その通話路を利用することにより他の電話機制御装置の回線を使用した通話を実現する電話機制御装置のコンピュータに、
当該電話機制御装置に収容されている回線への着信に応じて、前記着信で通知された着信情報に基づき当該電話システム内の他の電話機制御装置に対する当該着信の着信通知要否を判定し、その判定結果に基づいて、当該電話システム内の他の電話機制御装置のうちのいずれか１つ以上またはすべての電話機制御装置へ、前記データ通信網を介した新たな発呼により前記着信のあった回線を示す着信情報を通知する第１のステップと、
当該主装置に収容されている回線への着信に応じて、その着信の着信情報で通知された前記着信のあった回線に予め対応付けられている当該電話機制御装置の電話機を呼び出す第２のステップとを実行させるためのプログラム。
【請求項１０】
請求項９記載のプログラムにおいて、
前記第１のステップは、前記着信情報を通知する際、当該電話機制御装置の記憶部に予め設定されている回線管理情報で、当該回線に対応付けられている当該電話システム内の他の電話機制御装置へ、前記着信情報を通知し、
前記第２のステップは、前記電話機を呼び出す際、前記着信情報で通知された前記着信のあった回線に対して、前記回線管理情報で対応付けられている当該電話機制御装置の電話機を呼び出すことを特徴とするプログラム。
【請求項１１】
請求項９または１０記載のプログラムにおいて、
前記第２のステップは、呼出先の前記電話機での応答操作に応じて前記着信のあった回線に応答し、その電話機と当該回線とを接続し、
前記第１のステップは、発呼先の前記他の電話機制御装置での応答に応じて、前記データ通信網を介して当該他の電話機制御装置との間に形成された通話路と、前記着信のあった回線とを接続することを特徴とするプログラム。
【請求項１２】
請求項１０記載のプログラムにおいて、
前記第１のステップは、前記着信通知要否を判定する際、前記着信情報に基づき前記着信が当該電話システム内の他の電話機制御装置からの着信であることが確認された場合に着信通知不要と判定することを特徴とするプログラム。
【発明の詳細な説明】
【０００１】
【発明の属する技術分野】
本発明は、ボタン電話システムに関し、特に複数のボタン電話装置がデータ通信網を介して接続されたボタン電話システムに関するものである。
【０００２】
【従来の技術】
従来より、複数のボタン電話装置を接続して構成されたボタン電話システムが提案されている（例えば、特許文献１など参照）。図１０は従来のボタン電話システムの構成例であり、ここでは、マスタボタン電話装置８１とスレーブボタン電話装置８５とが信号線８９を介して接続されている。マスタボタン電話装置８１には、回線９１，９２が接続されているとともに複数の電話機８４が収容されており、マスタボタン電話装置８１に制御されるスレーブボタン電話装置８５には、回線９３が接続されているとともに複数の電話機８８が収容されている。
【０００３】
マスタボタン電話装置８１には、回線９１，９２と制御部８２との間に回線切替用のスイッチ８３が設けられているとともに、スレーブ電話装置８５には、回線９３と制御部８６との間に回線切替用のスイッチ８７が設けられている。そして、これらスイッチ８３，８７が回線９４〜９６により相互に接続されており、スイッチ８３，８７を切替制御することにより、各回線９１〜９３がいずれのボタン電話装置８１，８５でも使用可能な構成となっている。
【０００４】
このようなボタン電話システムでは、任意の回線へ着信に応じて電話機を呼び出す着信制御についてもボタン電話装置間で行うことができる。
例えば、回線９２にスレーブボタン電話装置８５の電話機８８が対応付けられている場合、マスタボタン電話装置８１の制御部８２は、回線９２での着信検出に応じて、その回線９２に対応付けられている電話機８８が収容されているスレーブボタン電話装置８５へ、信号線８９を介して相当する電話機８８を呼び出すよう指示し、この指示に応じてスレーブボタン電話装置８５の制御部８６が、相当する電話機８８を呼び出すものとなっていた。
【０００５】
なお、出願人は、本明細書に記載した先行技術文献情報で特定される先行技術文献以外には、本発明に関連する先行技術文献を出願時までに発見するには至らなかった。
【０００６】
【特許文献１】
特開平７−３２２３１４号公報
【０００７】
【発明が解決しようとする課題】
しかしながら、このような従来のボタン電話システムでは、着信制御に関するマスタボタン電話装置およびスレーブボタン電話装置で処理負担が増大し、処理が複雑化するという問題点があった。
すなわち、マスタボタン電話装置からスレーブボタン電話装置に対して、当該着信に対応するスレーブボタン電話装置側の電話機を呼び出すよう指示するため、個々の回線に対してスレーブボタン電話装置側のどの電話機を呼び出すのか、マスタボタン電話装置で管理しておく必要がある。これは、スレーブボタン電話装置の増加による電話機の増加に伴い、マスタボタン電話装置で着信制御に必要な電話機管理のための処理負担が飛躍的に増大する。
【０００８】
また、スレーブボタン電話装置において、信号線を介したマスタボタン電話装置からの通知に応じて着信制御を行うには、同様の着信制御であるにもかかわらず、当該装置に直接接続されている回線への着信制御処理とは別個の処理プログラムを用意して実行する必要があり、スレーブボタン電話装置での着信制御処理が複雑化する。
本発明はこのような課題を解決するためのものであり、着信制御に関する処理負担の増加や着信制御の複雑化を回避して、回線を共用するボタン電話装置間で着信制御を行うことができるボタン電話システム、ボタン電話装置およびプログラムを提供することを目的としている。
【０００９】
【課題を解決するための手段】
このような目的を達成するために、本発明にかかるボタン電話システムは、電話網およびデータ通信網からの回線を収容する主装置と、この主装置に収容される１つ以上の電話機とからなり、主装置で回線と電話機とを接続するボタン電話装置を複数有し、これらボタン電話装置の主装置間で、データ通信網を介して制御データをやり取りすることにより呼制御を行うとともに、音声データをやり取りすることにより通話路を形成し、その通話路を利用することにより他のボタン電話装置の回線を使用した通話を実現するボタン電話システムであって、ボタン電話装置の主装置に、当該主装置に収容されている回線への着信に応じて、前記着信で通知された着信情報に基づき当該ボタン電話システム内の他のボタン電話装置に対する当該着信の着信通知要否を判定し、その判定結果に基づいて、当該ボタン電話システム内の他のボタン電話装置のうちのいずれか１つ以上またはすべてのボタン電話装置へ、前記データ通信網を介した新たな発呼により前記着信のあった回線を示す着信情報を通知する着信通知手段と、当該主装置に収容されている回線への着信に応じて、その着信の着信情報で通知された前記着信のあった回線に予め対応付けられている当該ボタン電話装置の電話機を呼び出す着信制御手段とを備えるものである。
【００１０】
この際、前記ボタン電話装置の主装置に、前記各ボタン電話装置の回線のうち当該ボタン電話装置で使用可能な回線と、その回線への着信に応じて呼び出す当該ボタン電話装置の電話機および当該着信を通知する当該ボタン電話システム内の他のボタン電話装置との対応付けを示す回線管理情報を記憶する記憶手段をさらに備え、前記着信通知手段で、前記着信情報を通知する際、前記回線管理情報で当該回線に対応付けられている当該ボタン電話システム内の他のボタン電話装置へ、前記着信情報を通知し、前記着信制御手段で、前記電話機を呼び出す際、前記着信情報で通知された前記着信のあった回線に対して、前記回線管理情報で対応付けられている当該ボタン電話装置の電話機を呼び出すようにしてもよい。
【００１１】
さらに、着信制御手段で、呼出先の電話機での応答操作に応じて着信のあった回線に応答し、その電話機と当該回線とを接続し、着信通知手段で、発呼先の他のボタン電話装置での応答に応じて、データ通信網を介して当該他のボタン電話装置との間に形成された通話路と、着信のあった回線とを接続するようにしてもよい。
着信通知要否を判定する際、着信通知手段で、着信情報に基づき着信が当該ボタン電話システム内の他のボタン電話装置からの着信であることが確認された場合に着信通知不要と判定するようにしてもよい。
【００１２】
また、本発明にかかるボタン電話装置は、電話網およびデータ通信網からの回線を収容する主装置と、この主装置に収容される１つ以上の電話機とからなり、主装置で回線と電話機とを接続するボタン電話装置を複数有するボタン電話システムで用いられ、これらボタン電話装置の主装置間で、データ通信網を介して制御データをやり取りすることにより呼制御を行うとともに、音声データをやり取りすることにより通話路を形成し、その通話路を利用することにより他のボタン電話装置の回線を使用した通話を実現するボタン電話装置であって、主装置に、当該主装置に収容されている回線への着信に応じて、前記着信で通知された着信情報に基づき当該ボタン電話システム内の他のボタン電話装置に対する当該着信の着信通知要否を判定し、その判定結果に基づいて、当該ボタン電話システム内の他のボタン電話装置のうちのいずれか１つ以上またはすべてのボタン電話装置へ、前記データ通信網を介した新たな発呼により前記着信のあった回線を示す着信情報を通知する着信通知手段と、当該主装置に収容されている回線への着信に応じて、その着信の着信情報で通知された前記着信のあった回線に予め対応付けられている当該ボタン電話装置の電話機を呼び出す着信制御手段とを備えるものである。
【００１３】
この際、主装置に、前記各ボタン電話装置の回線のうち当該ボタン電話装置で使用可能な回線と、その回線への着信に応じて呼び出す当該ボタン電話装置の電話機および当該着信を通知する当該ボタン電話システム内の他のボタン電話装置との対応付けを示す回線管理情報を記憶する記憶手段をさらに備え、前記着信通知手段で、前記着信情報を通知する際、前記回線管理情報で当該回線に対応付けられている当該ボタン電話システム内の他のボタン電話装置へ、前記着信情報を通知し、前記着信制御手段で、前記電話機を呼び出す際、前記着信情報で通知された前記着信のあった回線に対して、前記回線管理情報で対応付けられている当該ボタン電話装置の電話機を呼び出すようにしてもよい。
【００１４】
さらに、着信制御手段で、呼出先の電話機での応答操作に応じて着信のあった回線に応答し、その電話機と当該回線とを接続し、着信通知手段で、発呼先の他のボタン電話装置での応答に応じて、データ通信網を介して当該他のボタン電話装置との間に形成された通話路と、着信のあった回線とを接続するようにしてもよい。
着信通知要否を判定する際、着信通知手段で、着信情報に基づき着信が当該ボタン電話システム内の他のボタン電話装置からの着信であることが確認された場合に着信通知不要と判定するようにしてもよい。
【００１５】
また、本発明にかかるプログラムは、電話網およびデータ通信網からの回線を収容するとともに１つ以上の電話機を収容し、回線と電話機とを接続する電話機制御装置を複数有する電話システムで用いられ、これら電話制御装置間で、データ通信網を介して制御データをやり取りすることにより呼制御を行うとともに、音声データをやり取りすることにより通話路を形成し、その通話路を利用することにより他の電話機制御装置の回線を使用した通話を実現する電話機制御装置のコンピュータに、当該電話機制御装置に収容されている回線への着信に応じて、前記着信で通知された着信情報に基づき当該電話システム内の他の電話機制御装置に対する当該着信の着信通知要否を判定し、その判定結果に基づいて、当該電話システム内の他の電話機制御装置のうちのいずれか１つ以上またはすべての電話機制御装置へ、前記データ通信網を介した新たな発呼により前記着信のあった回線を示す着信情報を通知する第１のステップと、当該主装置に収容されている回線への着信に応じて、その着信の着信情報で通知された前記着信のあった回線に予め対応付けられている当該電話機制御装置の電話機を呼び出す第２のステップとを実行させるためのプログラムである。
【００１６】
この際、第１のステップで、前記着信情報を通知する際、当該電話機制御装置の記憶部に予め設定されている回線管理情報で、当該回線に対応付けられている当該電話システム内の他の電話機制御装置へ、前記着信情報を通知し、前記第２のステップで、前記電話機を呼び出す際、前記着信情報で通知された前記着信のあった回線に対して、前記回線管理情報で対応付けられている当該電話機制御装置の電話機を呼び出すようにしてもよい。
【００１７】
さらに、第２のステップで、呼出先の電話機での応答操作に応じて着信のあった回線に応答し、その電話機と当該回線とを接続し、第１のステップで、発呼先の他のボタン電話装置での応答に応じて、データ通信網を介して当該他のボタン電話装置との間に形成された通話路と、着信のあった回線とを接続するようにしてもよい。
着信通知要否を判定する際、第１のステップで、着信情報に基づき着信が当該ボタン電話システム内の他のボタン電話装置からの着信であることが確認された場合に着信通知不要と判定するようにしてもよい。
【００１８】
【発明の実施の形態】
次に、本発明の実施の形態について図面を参照して説明する。
まず、図１を参照して、本発明の一実施の形態にかかるボタン電話システムについて説明する。図１は本発明の一実施の形態にかかるボタン電話システムの構成を示すブロック図である。
このボタン電話システムは、複数のボタン電話装置１０Ａ，１０Ｂ〜１０Ｎから構成されている。これらボタン電話装置１０Ａ〜１０Ｎは、それぞれ１つ以上のボタン電話機２またはＩＰ電話端末３などの電話機と、公衆電話網やＩＳＤＮ網などの電話網５１からの回線を収容するとともにボタン電話機２やＩＰ電話端末３を収容しその回線にこれら電話機を交換接続する主装置１とを有している。
【００１９】
また、各ボタン電話装置１０Ａ〜１０Ｎの主装置１は、インターネットなどのＩＰネットワークからなるデータ通信網５２を介して相互に接続されており、このデータ通信網５２を介して制御データをやり取りすることにより呼制御を行うとともに、音声データをやり取りすることによりＶｏＩＰ（Ｖｏｉｃｅ  ｏｖｅｒ  ＩＰ）などの音声パケット技術を用いて通話を形成し、その通話を利用することにより他のボタン電話装置の回線を用いた通話を実現する。
【００２０】
図２にボタン電話装置の構成例を示す。主装置１は、電話回線５３を介して電話網５１に接続されているとともに、通信回線５４を介してデータ通信網５２に接続されている。また、内線伝送路２０を介してボタン電話機２を収容しているとともに、ＬＡＮなどのデータ通信路３０を介してＩＰ電話端末３を収容している。
主装置１には、電話網接続部１１、データ通信網接続部１２、ＩＰ電話端末接続部１３、ボタン電話機接続部１４、スイッチ１５、データ／音声変換部１６、制御部１７および記憶部１８が設けられている。
【００２１】
電話網接続部１１は、電話網５１からの電話回線５３を終端制御する回路部である。データ通信網接続部１２は、データ通信網５２からの通信回線５４を終端制御する回路部である。ＩＰ電話端末接続部１３は、データ通信路３０を介してＩＰ電話端末３を接続する回路部である。ボタン電話機接続部１４は、内線伝送路２０を介してボタン電話機２を接続する回路部である。スイッチ１５は、電話網接続部１１、ボタン電話機接続部１４、データ／音声変換部１６の各パスを相互に交換接続する回路部である。データ／音声変換部１６は、データ通信網接続部１２側の音声パケットとスイッチ１５側の音声データとを相互変換する回路部である。
【００２２】
制御部１７は、ＣＰＵなどのマイクロプロセッサとその周辺回路からなるコンピュータ（ハードウェア資源）を有し、所定のプログラムを実行することにより主装置１の各部を制御する機能部である。記憶部１８は当該主装置に接続されている回線と、その回線への着信の際に呼出先となるボタン電話機２やＩＰ電話端末３、および当該着信の通知先となる他のボタン電話装置との対応関係を示す回線管理情報１８Ａのほか、制御部１７の制御に用いる各種データを記憶する回路部である。
制御部１７には、機能手段として、ボタン電話機２およびＩＰ電話端末３に関する着呼処理を行う着信制御手段１７Ａと、他のボタン電話装置へデータ通信網５２を介した発呼により着信を通知する着信通知手段１７Ｂとが設けられている。この機能手段は、上記ハードウェア資源とプログラムとを協働させることにより実現されている。
【００２３】
記録媒体１９は、ＣＤ−ＲＯＭやフレキシブルディスクなどの記録媒体であり、着信制御手段１７Ａおよび着信通知手段１７Ｂを含む制御部１７での各種処理を実現するプログラムが記録されている。
この記録媒体１９に記録されているプログラムは、ボタン電話装置の設置後の初期動作時やメンテナンス時など必要に応じて主装置１で読み込まれて記憶部１８へ格納され、制御部１７での各種処理を実現する。なお、プログラムは、記録媒体１９からではなく、データ通信網５２や電話網５１を介して受信したものを用いてもよい。この場合、プログラムは、データ通信網接続部１２または電話網接続部１１を介して制御部１７で受信され記憶部１８へ格納される。
【００２４】
ボタン電話機２が電話網５１を介して通話を行う際、制御部１７により、スイッチ１５を介して電話網接続部１１とボタン電話機接続部１４とのパスが接続される。そして、電話網５１側からの音声信号（音声データ）は、電話網接続部１１で音声データへ変換され、スイッチ１５、ボタン電話機接続部１４および内線伝送路２０を介してボタン電話機２へ送信される。また、ボタン電話機２からの音声データは、内線伝送路２０、ボタン電話機接続部１４およびスイッチ１５を介して電話網接続部１１へ入力され、ここで音声信号（音声データ）へ変換されて電話網５１側へ送信される。
【００２５】
一方、ＩＰ電話端末３がデータ通信網５２を介して通話を行う際、制御部１７により、データ通信網接続部１２とＩＰ電話端末接続部１３とのパスが接続される。そして、データ通信網５２側からの音声パケットは、データ通信網接続部１２、ＩＰ電話端末接続部１３およびデータ通信路３０を介してＩＰ電話端末３へ送信される。また、ＩＰ電話端末３からの音声データは、データ通信路３０、ＩＰ電話端末接続部１３およびデータ通信網接続部１２を介してデータ通信網５２側へ送信される。
【００２６】
なお、ボタン電話機２がデータ通信網５２を介して通話を行う際、データ通信網５２側からの音声パケットは、データ通信網接続部１２を介してデータ／音声変換部１６に入力されて音声データへ変換される。そして、その音声データがスイッチ１５およびボタン電話機接続部１４を介してボタン電話機２へ送信される。また、ボタン電話機２からの音声データは、ボタン電話機接続部１４およびスイッチ１５を介してデータ／音声変換部１６へ入力されて音声パケットへ変換される。そして、データ通信網接続部１２からデータ通信網５２側へ送信される。
【００２７】
これに対して、ＩＰ電話端末３が電話網５１を介して通話を行う際、電話網５１からの音声信号（音声データ）は、電話網接続部１１から音声データとして出力され、スイッチ１５を介してデータ／音声変換部１６へ入力されて音声パケットへ変換される。そして、その音声パケットがＩＰ電話端末接続部１３を介してＩＰ電話端末３へ送信される。また、ＩＰ電話端末３からの音声パケットは、データ／音声変換部１６へ入力されて音声データへ変換される。そして、スイッチ１５を介して電話網接続部１１へ入力され、音声信号（音声データ）として電話網５１側へ送信される。
【００２８】
さらに、電話網５１の通話とデータ通信網５２の通話とを中継接続する際、電話網５１からの音声信号（音声データ）は、電話網接続部１１から音声データとして出力され、スイッチ１５を介してデータ／音声変換部１６へ入力されて音声パケットへ変換される。そして、その音声パケットがデータ通信網接続部１２からデータ通信網５２側へ送信される。また、データ通信網５２側からの音声パケットは、データ通信網接続部１２を介してデータ／音声変換部１６に入力されて音声データへ変換される。そして、その音声データがスイッチ１５を介して電話網接続部１１へ入力され、音声信号（音声データ）として電話網５１側へ送信される。
【００２９】
図３はＩＰ電話端末の構成を示すブロック図である。
このＩＰ電話端末３には、データ通信部３１、音声処理部３２、端末制御部３３、表示部３４、操作部３５、および記憶部３６が設けられている。
データ通信部３１は、データ通信路３０を介して主装置１とパケット通信を行う回路部である。音声処理部３２は、データ通信部３１でやり取りする音声パケットと音声信号とを相互に変換したり、着信音などの各種信号音を出力する回路部である。端末制御部３３は、ＣＰＵなどのマイクロプロセッサとその周辺回路からなり、所定のプログラムを読み込んで各部を制御する。
【００３０】
表示部３４は、ＬＣＤやＬＥＤを用いて各種情報を表示する回路部である。操作部３５はダイヤルキーや各種機能キーを用いて利用者の操作を検出する回路部である。記憶部３６は端末制御部３３で実行するプログラムやその処理に必要な各種情報を記憶する回路部である。
また、ボタン電話機２については、データ通信部３１に代えて主装置１と内線伝送を行うデータ伝送部を有しているほかは、図３のＩＰ電話端末３と同様の構成をなしており、ここでの詳細な説明は省略する。
【００３１】
以上では、電話網５１を用いた通話を行うための構成として、電話網接続部１１、スイッチ１５、データ／音声変換部１６、ボタン電話機接続部１４、およびボタン電話機２を設けた場合を例として説明したが、電話網５１に代えてデータ通信網５２を用いた音声パケット通話を行う場合、上記の各構成は必須ではなく、これら構成を持たない構成であってもよい。また、ボタン電話機２でデータ通信網５２を用いた通話を行う際には、電話網接続部１１を持たない構成としてもよい。
また、本発明は、他のボタン電話装置の回線への着信を制御する着信制御に関するものであり、各ボタン電話装置に１つ以上の電話機、すなわちボタン電話機２またはＩＰ電話端末３を備えていればよい。
【００３２】
図４に電話機の外観図を示す。この電話機には、送受器４１、画面表示部４２および各種ボタンが設けられている。各種ボタンとしては、ダイヤルキー４３のほか、外線１〜外線４に対応して設けられた外線ボタン４４、内線ボタン４５、保留ボタン４６がある。特に、外線ボタン４４のそれぞれにはＬＥＤなどの外線ランプが設けられており、それぞれの外線の状態が表示される。また、画面表示部４２の表示内容を操作するためのカーソルボタン４７や、選択決定のための決定ボタン４８、さらには表示内容を元に戻すための戻るボタン４９が設けられている。
なお、ＩＰ電話端末３としては、前述のように通話専用の電話機であってもよく、通話機能を備えたパソコンなどの情報通信端末であってもよい。
【００３３】
次に、図５〜図９を参照して、本実施の形態にかかるボタン電話システムの動作について説明する。図５は各ボタン電話装置における回線管理情報の設定例である。図６は回線管理情報の設定動作を示すシーケンス図である。図７は本実施の形態にかかるボタン電話システムの着信制御動作を示すシーケンス図である。
図８は着信情報の構成例である。図９は着信通知後の通話パス接続状態を示す説明図である。
以下では、ＩＰ電話端末３Ａ，３Ｂをそれぞれ収容する２つのボタン電話装置１０Ａ，１０Ｂのうち、相手電話機６からボタン電話装置１０Ａの回線への着信に応じて、当該回線に対応付けられているボタン電話装置１０Ｂへ着信を通知し、その着信に対してボタン電話装置１０ＢのＩＰ電話端末３Ｂで応答する場合を例として説明する。
【００３４】
なお、電話網５１が公衆電話網の場合には、物理的な電話回線ごとに１つの通話路が形成されるが、電話網５１がＩＳＤＮ網の場合、物理的な電話回線ごとに２つの通話路（チャネル）が形成される。また、データ通信網５２でＩＰ通話を行う場合、その物理的な通信回線ごとにその通信帯域に応じて１つ以上の通話路（チャネル）が仮想的に形成される。
本発明では、このような物理的な通話回線や通信回線によって実現されて通話に用いられる通話路を総称して単に回線と呼ぶ。また、当該ボタン電話システムでは、各ボタン電話装置の回線をボタン電話機やＩＰ電話端末で共用するための管理上さらには運用上のイメージとして、当該ボタン電話システムの外部の電話機との通話に用いる回線を外線と呼んでいる。
【００３５】
以下の説明では、各ボタン電話装置１０Ａ，１０Ｂに、２つの回線すなわち回線１および回線２と、２つの外線すなわち外線１および外線２とがそれぞれ設けられているものとし、図４に示したように、各ボタン電話機には、外線１，外線２という外線ボタンが設けられているものとする。
各ボタン電話装置１０Ａ，１０Ｂでは、主装置１Ａ，１Ｂの電話網接続部１１で通話回線５３を終端制御して、回線１，２を形成する。また各主装置１Ａ，１Ｂのデータ通信網接続部１２では、データ通信網５２からの通信回線５４を終端制御して１つ以上の回線を形成するとともに、相互に呼制御用の制御データをやり取りする。
【００３６】
各ボタン電話装置１０Ａ，１０Ｂでは、主装置１Ａ，１Ｂの記憶部１８に、これら外線１，２と回線１，２の対応付けを示す回線管理情報１８Ａが予め記憶されている。
図５の例では、ボタン電話装置１０Ａの回線管理情報１８Ａとして、外線１に、当該ボタン電話装置１０Ａの回線１および回線２が対応付けられているとともに、その着信呼出先として当該ボタン電話装置１０Ａの全電話機２Ａ，３Ａが対応付けられ、さらに着信通知先としてボタン電話装置１０Ｂが対応付けられている。また外線２には、ボタン電話装置１０Ｂの回線１が対応付けられているとともに、その着信呼出先として当該ボタン電話装置１０Ａの全電話機２Ａ，３Ａが対応付けられ、さらに着信通知先にはいずれのボタン電話装置も対応付けられていない。
【００３７】
一方、ボタン電話装置１０Ｂの回線管理情報１８Ａとして、外線１に、当該ボタン電話装置１０Ｂの回線１および回線２が対応付けられているとともに、その着信呼出先として当該ボタン電話装置１０Ｂの全電話機２Ｂ，３Ｂが対応付けられ、さらに着信通知先としてボタン電話装置１０Ａが対応付けられている。また外線２には、ボタン電話装置１０Ａの回線１が対応付けられているとともに、その着信呼出先として当該ボタン電話装置１０Ｂの全電話機２Ｂ，３Ｂが対応付けられ、さらに着信通知先にはいずれのボタン電話装置も対応付けられていない。
なお、１つの外線に複数の回線が対応付けられた場合、それら回線への着信は、いずれも当該外線への着信として処理される。
【００３８】
これら各ボタン電話装置１０Ａ，１０Ｂの回線管理情報１８Ａは、それぞれのボタン電話装置に接続されている電話機のうちの設定用の電話機での登録設定操作に応じてその内容が更新登録される。
例えば、図６に示すように、ボタン電話装置１０Ｂの主装置１Ｂに接続されているＩＰ電話端末３Ｂが設定用電話機の場合、このＩＰ電話端末３Ｂでの設定操作に応じて（ステップ２００）、主装置１Ｂの制御部１７により記憶部１８の回線管理情報１８Ａが更新登録される（ステップ２０１）。
【００３９】
そして、他のボタン電話装置の回線に対する、当該ボタン電話装置の外線への対応付けが変更された場合、例えば他のボタン電話装置１０Ａの回線１が新たに当該ボタン電話装置の外線２へ対応付けられた場合、主装置１Ｂの制御部１７から、データ通信網接続部１２およびデータ通信網５２を介して主装置１Ａへ、登録対象としてボタン電話装置１０Ａの回線１を示す情報を含む着信通知要求が通知される（ステップ２０２）。
主装置１Ａの制御部１７は、この着信通知要求をデータ通信網接続部１２を介して受信し、回線管理情報１８Ａのうち、その着信通知要求で指定された自装置の回線１に対応する着信通知先として、その着信通知要求の送信元ボタン電話装置１０Ｂを更新登録する（ステップ２０３）。そして、主装置１Ｂに対して設定確認を通知し（ステップ２０４）、回線管理情報の更新登録処理が終了する。
【００４０】
次に、図７のステップ１００〜１０６で示されたボタン電話装置１０Ａ，１０Ｂでの着信処理について説明する。
前述のようにして、各ボタン電話装置１０Ａ，１０Ｂで回線管理情報１８Ａが図５の内容で設定された状態において、図７に示すように、相手電話機６での発呼に応じて電話網５１からボタン電話装置１０Ａの回線１すなわち外線１へ着信があった場合（ステップ１００）、ボタン電話装置１０Ａの主装置１Ａでは、制御部１７の着信通知手段１７Ｂで当該着信に関する着信情報を確認し、同一システム内の他のボタン電話装置に対する当該着信の着信通知要否を判定する（ステップ１０１）。
【００４１】
例えば、回線がＩＳＤＮ回線やＩＰ通話回線の場合、当該着信は呼設定メッセージにより通知され、その呼設定メッセージには、一般に、図８（ａ）に示すような基本情報要素を持つ着信情報が含まれている。ここでは、着信情報要素のうち、着番号情報として当該発呼の着信先となるボタン電話装置１０Ａを示す識別番号「０３−３４９３−ｘｘｘｘ」が格納されており、発番号情報として当該発呼の発信元となる相手電話機６を示す識別番号「０３−３５８０−ｙｙｙｙ」が格納されている。
【００４２】
本発明では、図８（ｂ）に示すように、この着信情報に、通知種別情報と通知元情報を有する付加情報要素を設け、その通知種別情報を用いて、当該着信が同一システム内のボタン電話装置間での着信通知のための着信かどうかを通知するとともに、その通知元情報を用いて、同一システム内での着信通知の際、その通知元ボタン電話装置において着信のあった回線を通知している。
【００４３】
前述した図８（ａ）に示されている相手電話機６からの着信情報には、後述する付加情報要素で、当該着信が同一システム内の他のボタン電話装置からの着信通知であることが示されていないことから、着信通知手段１７Ｂは、同一システム内の他のボタン電話装置に対する当該着信の着信通知が必要であると判定する。
そして、この着信通知要の判定に応じて、記憶部１８の回線管理情報１８Ａを参照し、その回線１への着信に対する着信通知先および着信呼出先を確認する。
ここでは、図５に示すように、着信通知先としてボタン電話装置１０Ｂが設定されており、着信呼出先として全電話機が設定されている。
【００４４】
この際、着信通知先が設定されていることから、着信通知手段１７Ｂは、データ通信網接続部１２からデータ通信網５２を用いて、当該ボタン電話装置１０Ａからそのボタン電話装置１０Ｂへの新たな発呼を示す呼設定メッセージを送信することにより、着信があったことを通知する（ステップ１０２）。なお、着信通知先が設定されていない場合、着信通知は行わない。
【００４５】
着信通知に用いる呼設定メッセージには、図８（ｂ）に示すような基本情報要素および付加情報要素からなる着信情報を格納する。すなわち、基本情報要素のうち、着番号情報として当該発呼の着信先となるボタン電話装置１０Ｂを示す識別番号「０２３８−２２−ｚｚｚｚ」を格納し、発番号情報として当該発呼の発信元となるボタン電話装置１０Ａを示す識別番号「０３−３４９３−ｘｘｘｘ」を格納する。さらに付加情報要素のうち、通知種別情報として当該発呼が同一システム内での発呼であることを示す識別情報「システム内着信通知」を格納し、通知元情報として、元の着信があったボタン電話装置１０Ａの回線１を示す「Ａ−１」を格納する。
【００４６】
また、制御部１７の着信制御手段１７Ａで、記憶部１８の回線管理情報１８Ａを参照して、その回線１に対応する着信呼出先を確認し、その着信呼出先ここでは全電話機をＩＰ電話端末接続部１３およびボタン電話機接続部１４から着信表示メッセージを送信して着信呼出を行うとともに（ステップ１０３）、データ通信網接続部１２からデータ通信網５２を介して発呼元である相手電話機６へ、呼出中であることを示す呼出メッセージを返送する（ステップ１０４）。
【００４７】
一方、ボタン電話装置１０Ｂでは、ボタン電話装置１０Ａからの呼設定メッセージをデータ通信網接続部１２で受信し、制御部１７でその呼設定メッセージの着信情報を確認する。そして、着信制御手段１７Ａで、記憶部１８の回線管理情報１８Ａを参照して、その着信情報の通知元情報で通知されたボタン電話装置１０Ａの回線１に対応する着信呼出先を確認し、その着信呼出先ここでは全電話機をＩＰ電話端末接続部１３およびボタン電話機接続部１４から着信表示メッセージを送信して着信呼出を行うとともに（ステップ１０５）、データ通信網接続部１２からデータ通信網５２を介して発呼元であるボタン電話装置１０Ａへ、呼出中であることを示す呼出メッセージを返送する（ステップ１０６）。
【００４８】
また、ボタン電話装置１０Ｂでは、制御部１７の着信通知手段１７Ｂで、その着信情報の通知種別情報を確認して他のボタン電話装置に対する当該着信の着信通知要否を判定する。ここでは、その通知種別情報として「システム内着信通知」が格納されていることから、当該着信が同一システム内での着信通知のためのものであり他のボタン電話装置への着信通知は不要と判定し、他のボタン電話装置への着信通知は行わない。
以上のようにして、ボタン電話装置１０Ａ，１０Ｂにおける一連の着信処理が終了する。
【００４９】
このように、本実施の形態は、各ボタン電話装置の主装置にある制御部に、着信制御手段と着信通知手段とを設け、収容する回線への着信に応じて、その主装置の着信通知手段で、その着信で通知された着信情報に基づき当該ボタン電話システム内の他のボタン電話装置に対する当該着信の着信通知要否を判定し、その判定結果に基づいて、記憶部に予め設定されている回線管理情報で当該回線に対応付けられている他のボタン電話装置へ、データ通信網を介した新たな発呼により着信のあった回線を示す着信情報を通知するとともに、収容する回線への着信に応じて、その主装置の着信制御手段で、その着信の着信情報で通知された、着信のあった元の回線に対して回線管理情報で対応付けられている当該ボタン電話装置の電話機を呼び出すようにしたものである。
【００５０】
これにより、各ボタン電話装置の主装置では、着信があった際、必要に応じて当該他のボタン電話装置への着信通知を行うだけでよく、他のボタン電話装置に収容されている個々の電話機への着信制御を着信のあったボタン電話装置から行うというような処理負担を増加させることなく、複数のボタン電話装置間で回線を共用する場合でも、他のボタン電話装置にまたがった着信制御を実現できる。
また、他のボタン電話装置へ新たな発呼を行うことにより、着信のあった回線を示す着信情報を通知するようにしたので、その着信情報の通知を受けたボタン電話装置では、自装置への一般的な着信処理と同様にして、その着信の着信情報で示される回線に対応した電話機を呼び出すことができ、着信の通知に応じて電話機を呼び出すボタン電話装置での着信制御を複雑化させることもない。
【００５１】
なお、本実施の形態では、図７のステップ１０１で、当該ボタン電話システム内の他のボタン電話装置への着信情報の通知が必要と判定された場合、記憶部の回線管理情報で、その着信のあった回線に対応付けられているボタン電話装置へ通知する場合を例として説明したが、これに限定されるものではない。例えば、着信情報の通知が必要と判定された場合は、当該ボタン電話システム内の他のすべてのボタン電話装置へ新たな発呼により当該着信情報を通知するようにしてもよい。
この場合も、着信情報の通知を受けたボタン電話装置側で、回線管理情報に基づき電話機の呼び出し要否の判定が行われるため、着信のあった元の回線に対応付けられていなかったボタン電話装置では、電話機の呼び出しが不要と判断されることになり、前述と同様の処理動作となる。
【００５２】
したがって、各ボタン電話装置の回線管理情報で、当該ボタン電話装置に収容されている回線への着信に応じて、その着信を通知する当該ボタン電話システム内の他のボタン電話装置との対応付けを管理する必要がなくなり、各ボタン電話装置での回線管理情報の設定作業の負担を大幅に削減できる。
なお、各ボタン電話装置に対して着信情報を通知する際、各ボタン電話装置ごとに個別のパケットで送信してもよく、マルチキャスト形式のパケットを用いて各ボタン電話装置に並行して送信してもよい。
【００５３】
次に、図７のステップ１１０〜１１７，ステップ１２０〜１２２で示されたボタン電話装置１０Ａ，１０Ｂでの応答処理について説明する。
前述のようにして、相手電話機６からの着信に応じて、主装置１Ａ，１Ｂでそれぞれに収容されている各電話機２Ａ，３Ａ，２Ｂ，３Ｂが呼び出され、その呼び出しに応じて例えば電話機３Ｂでオフフック操作が行われた場合、当該電話機から主装置１Ｂへオフフック通知が送信される（ステップ１１０）。
これに応じて、主装置１Ｂの制御部１７では、着信制御手段１７Ａで、データ通信網接続部１２からデータ通信網５２を介して、当該着信通知の発呼元である主装置１Ａに対し、応答メッセージを送信する（ステップ１１１）。
【００５４】
主装置１Ａの制御部１７では、着信通知手段１７Ｂで、この応答メッセージをデータ通信網接続部１２を介して受信し、相手電話機６へ応答メッセージを送信する（ステップ１１２）。そして、相手電話機６からの応答確認メッセージの受信に応じて（ステップ１１３）、主装置１Ｂへ応答確認メッセージを送信するとともに（ステップ１１４）、自装置に収容している電話機２Ａ，３Ａに対して着信表示の停止を指示し（ステップ１１５）、相手電話機６との通話バスと主装置１Ｂとの通話パスを接続する。
【００５５】
また、主装置１Ｂの制御部１７では、着信制御手段１７Ａで、主装置１Ａからの応答メッセージに応じて、応答した電話機３Ｂへ応答表示を指示するとともに（ステップ１１６）、他の電話機へに対して着信表示の停止を指示し（ステップ１１７）、その応答電話機３Ｂとの通話パスと主装置１Ａとの通話パスを接続する。
これにより、図９に示すように、相手電話機６と主装置１Ａとの間の通話パス１２０、データ通信網５２を介した主装置１Ａと主装置１Ｂとの間の通話パス１２１、および主装置１Ｂと応答電話機３Ｂとの間の通話パス１２２とが１つに接続され、相手電話機６と応答電話機３Ｂとの間で通話が開始される。
以上のようにして、ボタン電話装置１０Ａ，１０Ｂにおける一連の応答処理が終了する。
【００５６】
次に、図７のステップ１３０〜１３６で示されたボタン電話装置１０Ａ，１０Ｂでの終話処理について説明する。
その後、応答電話機３Ｂでの終話操作に応じて、応答電話機３Ｂから主装置１Ｂへオンフック通知が送信された場合（ステップ１３０）、主装置１Ｂの制御部１７は、データ通信網接続部１２からデータ通信網５２を介して主装置１Ａへ切断メッセージを送信し（ステップ１３１）、応答電話機３Ｂおよび主装置１Ａとの通話パスをそれぞれ解放する。
【００５７】
主装置１Ａの制御部１７は、この切断メッセージに応じて、相手電話機６へ切断メッセージを送信し（ステップ１３２）、相手電話機６から返送された解放メッセージに応じて（ステップ１３３）、データ通信網接続部１２からデータ通信網５２を介して主装置１Ｂへ解放メッセージを送信し（ステップ１３４）、相手電話機６との通話パスを解放する。そして、主装置１Ｂから返送された解放完了メッセージに応じて（ステップ１３５）、相手電話機６へ解放完了メッセージを送信し（ステップ１３６）、一連の終話処理を終了する。
【００５８】
なお、以上では、各ボタン電話装置に収容されている電話網５１のＩＳＤＮ電話回線５３で形成される通話路（チャネル）を回線として、各ボタン電話装置で共用する場合を例として説明したが、この回線についてはＩＳＤＮ電話回線５３で形成される通話路に限定されるものではなく、例えばアナログ電話回線で形成される通話路のほか、データ通信網５２の通信回線５４でＶｏＩＰなどの音声パケット通信技術を用いて仮想的に形成される通話路についても同様である。
【００５９】
また、以上では、主装置と電話機とからなるボタン電話装置が複数接続されてなるボタン電話システムを例として説明したが、これに限定されるものではない。例えば、電話機インターフェース機能とデータ通信機能を持ち、所定のプログラムを実行することによりデータ通信網からの回線と電話機とを交換接続するコンピュータからなる電話機制御装置を、ボタン電話装置の主装置の代わりに用い、これら電話機制御装置を複数接続してなる電話システムに対しても、本発明を適用でき、同様の作用効果が得られる。
【００６０】
【発明の効果】
以上説明したように、複数のボタン電話装置の主装置間で、データ通信網を介して制御データをやり取りすることにより呼制御を行うとともに、音声データをやり取りすることにより通話路を形成し、その通話路を利用することにより他のボタン電話装置の回線を使用した通話を実現するボタン電話システムで、各ボタン電話装置の主装置の着信通知手段で、当該主装置に収容されている回線への着信に応じて、前記着信で通知された着信情報に基づき当該ボタン電話システム内の他のボタン電話装置に対する当該着信の着信通知要否を判定し、その判定結果に基づいて、当該ボタン電話システム内の他のボタン電話装置のうちのいずれか１つ以上またはすべてのボタン電話装置へ、前記データ通信網を介した新たな発呼により前記着信のあった回線を示す着信情報を通知し、着信制御手段で、当該主装置に収容されている回線への着信に応じて、その着信の着信情報で通知された着信のあった回線に予め対応付けられている当該ボタン電話装置の電話機を呼び出すようにしたものである。
【００６１】
これにより、各ボタン電話装置の主装置では、着信があった際、必要に応じて当該他のボタン電話装置への着信通知を行うだけでよく、他のボタン電話装置に収容されている個々の電話機への着信制御を着信のあったボタン電話装置から行うというような処理負担を増加させることなく、複数のボタン電話装置間で回線を共用する場合でも、他のボタン電話装置にまたがった着信制御を実現できる。
また、他のボタン電話装置へ新たな発呼を行うことにより、着信のあった回線を示す着信情報を通知するようにしたので、その着信情報の通知を受けたボタン電話装置では、自装置への一般的な着信処理と同様にして、その着信の着信情報で示される回線に対応した電話機を呼び出すことができ、着信の通知に応じて電話機を呼び出すボタン電話装置での着信制御を複雑化させることもない。
【図面の簡単な説明】
【図１】本発明の一実施の形態にかかるボタン電話システムの構成を示すブロック図である。
【図２】ボタン電話装置の構成を示すブロック図である。
【図３】ＩＰ電話端末の構成を示すブロック図である。
【図４】電話機の外観図である。
【図５】各ボタン電話装置における回線管理情報の設定例である。
【図６】回線管理情報の設定動作を示すシーケンス図である。
【図７】本実施の形態にかかるボタン電話システムの着信制御動作を示すシーケンス図である。
【図８】着信情報の構成例である。
【図９】着信通知後の通話パス接続状態を示す説明図である。
【図１０】従来のボタン電話システムを示す説明図である。
【符号の説明】
１０Ａ，１０Ｂ，〜，１０Ｎ…ボタン電話装置、１…主装置、１１…電話網接続部、１２…データ通信網接続部、１３…ＩＰ電話端末接続部、１４…ボタン電話機接続部、１５…スイッチ、１６…データ／音声変換部、１７…制御部、１７Ａ…着信制御手段、１７Ｂ…着信通知手段、１８…記憶部、１８Ａ…回線管理情報、１９…記録媒体（プログラム）、２…ボタン電話機、２０…内線伝送路、３０…データ通信路、３…ＩＰ電話端末、３１…データ通信部、３２…音声処理部、３３…端末制御部、３４…表示部、３５…操作部、３６…記憶部、４１…送受器、４２…画面表示部、４３…ダイヤルキー、４４…外線ボタン、４５…内線ボタン、４６…保留ボタン、４７…カーソルボタン、４８…決定ボタン、４９…戻るボタン、５１…電話網、５２…データ通信網、５３…電話回線、５４…通信回線、６…相手電話機。
【図１】
2004266437.tif 000003
【図２】
2004266437.tif 000004
【図３】
2004266437.tif 000005
【図４】
2004266437.tif 000006
【図５】
2004266437.tif 000007
【図６】
2004266437.tif 000008
【図７】
2004266437.tif 000009
【図８】
2004266437.tif 000010
【図９】
2004266437.tif 000011
【図１０】
2004266437.tif 000012